(57)【要約】【課題】  先に登録作業を行った実登録者に対して、当該登録者以外の一般使用者によって登録情報の削除や変更が行われたことを知らしめる画像形成装置を提供する。【解決手段】  送信先情報と、登録者情報と、使用者情報とを入出力するための情報入出力手段と、送信先情報と、登録者情報と、使用者情報とを登録及び保存するための情報保存手段と、登録者情報と使用者情報とを比較して装置の現使用者が誰であるかを判別する使用者判別手段と、登録者に宛ててメッセージを通知する通知手段と、を備え、登録者以外の者が、登録された送信先情報を削除又は変更した場合に、送信先情報が削除又は変更されたことを登録者に通知する。【選択図】図６
2006229419.tif 000002
【特許請求の範囲】
【請求項１】
送信先情報と、登録者情報と、使用者情報とを入出力するための情報入出力手段と、
送信先情報と、登録者情報と、使用者情報とを登録及び保存するための情報保存手段と、
登録者情報と使用者情報とを比較して装置の現使用者が誰であるかを判別する使用者判別手段と、
登録者に宛ててメッセージを通知する通知手段と、を備え、
登録者以外の者が、登録された送信先情報を削除又は変更した場合に、送信先情報が削除又は変更されたことを登録者に通知することを特徴とする画像形成装置。
【請求項２】
前記画像形成装置は、ネットワークを介して送信先登録サーバに接続されており、送信先情報は当該送信先登録サーバから送出されることを特徴とする、請求項１記載の画像形成装置。
【請求項３】
登録者へのメッセージの通知は、電子メールによって行われることを特徴とする、請求項１記載の画像形成装置。
【請求項４】
削除又は変更された送信先情報は、バックアップの送信先情報として情報保存手段に保存されることを特徴とする、請求項１記載の画像形成装置。
【請求項５】
バックアップの送信先情報は、登録者によって削除されるか又は再び登録されるように構成されていることを特徴とする、請求項４記載の画像形成装置。
【請求項６】
再び登録されるバックアップの送信先情報は、登録者によって修正可能に構成されていることを特徴とする、請求項５記載の画像形成装置。
【請求項７】
再び登録されるバックアップの送信先情報の新登録場所が元の登録場所と異なっている場合には、新登録場所が登録者に通知されることを特徴とする、請求項５記載の画像形成装置。
【発明の詳細な説明】
【技術分野】
【０００１】
本発明は、装置内に格納された画像データや文書データ等を登録された所定の送信先アドレスに送信する画像形成装置に関する。
【背景技術】
【０００２】
従来から、画像データ等に基づいて画像等を出力することのできる画像形成手段を備えた複写機やプリンタ等の画像形成装置であるデジタル複合機すなわちＭＦＰ（Multi Function Peripherals）が知られている。
【０００３】
ＭＦＰには、ＬＤＡＰサーバ等に登録されている送信先情報（名前、所属する部課名、電子メールアドレス、ファックス番号等）を、ＬＡＮ等のネットワークを介してＭＦＰから検索するとともに、その結果得られた送信先情報をＭＦＰ本体に登録・保存する登録保存機能を有するものがある。
【０００４】
このような機能を有するＭＦＰにおいては、送信先情報を実際に登録した実登録者の関知しないところで、ＭＦＰ本体に保存された送信先情報が別の使用者によって削除又は変更されてしまうということが起こる可能性がある。一旦削除又は変更されてしまった情報を実登録者が後で必要とする場合には、ＬＤＡＰサーバ等に登録されている送信先情報を検索し、ＭＦＰ本体に再登録するという多くの手順を経る再登録を一から行う必要があるために、実登録者にとって非常に煩雑なものになっている。
【０００５】
ところで、ワンタッチキー登録が後の使用者によって変更されたときに、当該変更があったことを記憶させておいて、そのあとでワンタッチキーが使用されたときにその変更があったことを使用者に知らしめるファクシミリ装置が開示されている（例えば、特許文献１参照。）。
【０００６】
当該ファクシミリ装置では、変更作業が行われた後に使用する使用者に対して変更事実が知らされるように構成されている。しかしながら、当該ファクシミリ装置では、変更作業後に、先に登録作業を行った実登録者が当該装置を操作しない場合あるいは当該装置に接することがない場合、実登録者が変更事実を知ることはできない。このように、実登録者の意図しないところで、実登録者以外の一般使用者によって登録情報の削除や変更がなされていても、先の実登録者が当該削除／変更の事実を全く知らないという状況が発生してしまうという問題がある。
【０００７】
【特許文献１】特開２００１−１６０８９５号公報
【発明の開示】
【発明が解決しようとする課題】
【０００８】
したがって、本発明の解決すべき技術的課題は、先に登録作業を行った実登録者に対して、当該登録者以外の一般使用者によって登録情報の削除や変更が行われたことを知らしめる画像形成装置を提供することである。
【課題を解決するための手段および作用・効果】
【０００９】
上記技術的課題を解決するために、本発明によれば、
送信先情報と、登録者情報と、使用者情報とを入出力するための情報入出力手段と、
送信先情報と、登録者情報と、使用者情報とを登録及び保存するための情報保存手段と、
登録者情報と使用者情報とを比較して装置の現使用者が誰であるかを判別する使用者判別手段と、
登録者に宛ててメッセージを通知する通知手段と、を備え、
登録者以外の者が、登録された送信先情報を削除又は変更した場合に、送信先情報が削除又は変更されたことを登録者に通知することを特徴とする画像形成装置が提供される。
【００１０】
上記構成によれば、装置を使用しようとする使用者の使用者情報や、送信先情報を登録しようとする登録者の登録者情報が情報入出力手段を通じて入力されており、使用者判別手段によって、現在、誰が装置を使用しているかがモニターされている。使用者と登録者とが一致しない場合において、情報保存手段に登録されている送信先情報が使用者によって削除又は変更された場合には、登録者に宛ててメッセージを通知される。したがって、送信先情報を先に登録した実登録者の意図しないところで、実登録者以外の一般使用者によって登録情報の削除や変更が行われても、先に登録した実登録者は当該削除／変更の事実を知ることができる。
【００１１】
画像形成装置は、その内部に送信先情報を直接的に保存する記憶手段を有するように構成することができるが、好ましくは、ネットワークを介して送信先登録サーバに接続して、送信先情報が当該送信先登録サーバから送出されるように構成される。送信先登録サーバから送出された送信先情報は、情報保存手段に保存される。
【００１２】
送信先登録サーバとしては、例えば、ＬＤＡＰ（Lightweight Directory Access Protocol）サーバが使用される。ＬＤＡＰサーバは、仮想電話帳として使用され、使用者は他の使用者の情報に簡単にアクセスすることができる。ただし、ＳＳＬやＴＬＳがサポートされているので、外部からの機密情報へのアクセスを保護することができる。使用者は、クライアントＰＣ上のアプリケーションプログラムからＸ．５００等のディレクトリサーバにＤＡＰ又はＬＤＡＰでアクセスして所望する登録情報を検索する。
【００１３】
登録者へのメッセージの通知は、ファックス送信で行うこともできるが、好ましくは、電子メールによって行われる。
【００１４】
削除又は変更された送信先情報は、情報保存手段から直ちに消去することもできるが、後日に利用することもありうるので、バックアップとして情報保存手段に保存される。
【００１５】
バックアップとして保存されたバックアップの送信先情報は、登録者によって削除されるか又は再登録されるように選択可能に構成されている。
【００１６】
削除又は変更される前の形態で再登録することが好ましくない場合もあるので、再登録されるバックアップの送信先情報は、登録者によって修正可能に構成されている。
【００１７】
再登録されるバックアップの送信先情報の新登録場所が元の登録場所と異なっている場合には、登録者が、送信先情報が元の登録場所に登録されていると勘違いして誤使用することも想定されるので、新しい登録場所が登録者に通知される。
【発明を実施するための最良の形態】
【００１８】
以下に、本発明の一実施形態に係る、画像形成装置を含む画像形成システムについて、図１乃至８を参照しながら詳細に説明する。
【００１９】
図１は、本発明の実施形態に係る画像形成装置を含む画像形成システム構成を示す図である。図２は、図１の画像形成装置のブロック図である。図３は、画像形成装置の操作パネル上で行われる操作手順を説明する図である。図４は、図３の説明図に続く操作手順を説明する図である。図５は、画像形成装置の操作パネル上で行われる操作手順を説明する図である。図６は、登録された送信先情報が削除されたときの画像形成装置での処理過程のフローチャートである。図７は、送信先情報の削除の通知がなされたときに登録者が行う処理過程のフローチャートである。図８は、バックアップされた送信先情報に関する画像形成装置での処理過程のフローチャートである。
【００２０】
図１において、画像形成システムは、認証サーバ１０１と、ＬＤＡＰ（Lightweight Directory Access Protocol）サーバ１０２と、クライアントＰＣ１０３と、複数の画像形成装置１０４，１０５と、それらを有線又は無線で接続するＬＡＮ（Ｌｏｃａｌ Ａｒｅａ Ｎｅｔｗｏｒｋ）等の専用回線や公衆電話回線などのネットワーク１０６と、を備えている。
【００２１】
認証サーバ１０１は、画像形成装置１０４，１０５を使用しようとする者が、許可された者であるか否かをチェックするために設けられているサーバである。ＬＤＡＰ（Lightweight Directory Access Protocol）サーバ１０２は、仮想電話帳として使用され、使用者は他の使用者の情報に簡単にアクセスすることができる。ただし、ＳＳＬやＴＬＳがサポートされているので、外部から機密情報にアクセスすることを防止できる。使用者は、クライアントＰＣ１０３又は画像形成装置１０４，１０５のアプリケーションプログラムからＸ．５００等のディレクトリサーバにＤＡＰ又はＬＤＡＰでアクセスして所望とする登録情報を検索する。
【００２２】
画像形成装置１０４，１０５は、画像データ等に基づいて画像等を出力することのできる画像形成手段を備えた複写機やプリンタ等の画像形成装置であるデジタル複合機すなわちＭＦＰ（Multi Function Peripherals）である。
【００２３】
図２に示すように、画像形成装置１０４，１０５は、ＣＰＵ（中央演算処理装置）２０１と、プリンタ２０２と、ハードディスクドライブ２０３と、スキャナ２０４と、メモリ２０５と、操作パネル２０６と、ネットワーク２０７と、ＦＡＸ回線２０８とを備えている。システム制御部２１１によって装置全体の制御が行われている。プリンタ２０２と、ハードディスクドライブ２０３と、スキャナ２０４と、メモリ２０５と、操作パネル２０６と、ネットワーク２０７と、ＦＡＸ回線２０８と、システム制御部２１１との間は、プリント制御部２１、データ入出力制御部２１３と、データ入力制御部２１４と、表示／入力制御部２１６と、ネットワーク制御部２１７と、ＦＡＸ制御部２１８とによって、それぞれ制御されている。
【００２４】
ＣＰＵ（中央演算処理装置）２０１は、画像形成装置１０４，１０５内の各種処理を行う制御部を構成している。ＣＰＵ（中央演算処理装置）２０１は、例えば、登録者情報と使用者情報とを比較して装置の現使用者が誰であるかを判別する使用者判別手段として使用される。
【００２５】
メモリ２０５は、各制御部で実行されるプログラムが格納されているＲＯＭ（Ｒｅａｄ Ｏｎｌｙ Ｍｅｍｏｒｙ）と、プログラムが実行される際の一時的な作業領域として使用されるＲＡＭ（Ｒａｎｄｏｍ Ａｃｃｅｓｓ Ｍｅｍｏｒｙ）と、から構成されている。
【００２６】
ハードディスクドライブ２０３は、送信先情報（送信先の氏名やアドレス）と、送信先情報の登録を実際に行った者が誰であるかという登録者情報（登録者の氏名やアドレス）と、現在の装置使用者が誰であるかという使用者情報とが保存される情報保存手段である。
【００２７】
操作パネル２０６は、文字や数字等の各種情報を表示したり入力したりすることのできるタッチパネルであり、送信先情報と、送信先情報を実際に登録した登録者情報と、使用者情報と、を入出力するための情報入出力手段として使用される。操作パネル２０６は、液晶パネル等からなる表示／入力手段であり、操作パネル２０６の各ワンタッチキーには、所定の機能を担ったキー情報が割り振られている。図３乃至５に示すように、操作パネル２０６上に表示・設定登録されているワンタッチキーを使用者が軽くタッチすることにより、所定の動作を行うように構成されている。
【００２８】
ネットワーク２０７及びＦＡＸ回線２０８は、画像や各種情報やメッセージを入出力するための通信手段であり、登録者に宛ててメッセージを通知する通知手段としても使用される。
【００２９】
まず、図３及び４を参照しながら、ＬＤＡＰサーバ１０２に登録されている様々な情報の中から所望の送信先情報を検索する情報検索過程について説明する。なお、画像形成装置１０４，１０５それ自身が送信先情報をハードディスクドライブ２０３の中に保持している場合であっても、おおよそ同様の操作で検索が実行される。
【００３０】
ＬＤＡＰサーバ１０２等がネットワーク１０６を介して接続された状態にある画像形成装置１０４，１０５の操作パネル２０６には、例えば、図３に示した＜３０１＞の表示画面が表示されている。
【００３１】
３０１−１のワンタッチキーには、名前や所属部課名や電子メールアドレス等の検索キーワードを入力／表示することが割り当てられている。３０１−２のワンタッチキーには、各検索キーワードに対してそれを含む／含まない等の検索条件を入力／表示することが割り当てられている。３０１−３のワンタッチキーには、ある一つのキーワードに対してそれを含む／それと同じである／それから始まる／それで終わる／それを使用しない等の検索条件を入力／表示することが割り当てられている。３０１−４のワンタッチキーには、所定の条件で検索を開始することが割り当てられている。
【００３２】
＜３０２＞の表示画面は、文字や数字等の各種検索キーワードを入力するためのものである。３０２−４のワンタッチキーには、入力作業の終了を確定することが割り当てられている。
【００３３】
＜３０３＞の表示画面は、所定のキーワード（例えば、所属部課名の開発部、電子メールアドレスの@xxx.yyy.co.jp）で検索した検索結果の一例を示している。３０３−１のワンタッチキーには、＜３０４＞のワンタッチ登録画面に切り替わることが割り当てられている。また、３０３−２のワンタッチキーには、検索結果の一覧が割り当てられている。
【００３４】
図４において、＜３０４＞の表示画面は、検索結果を対応する所属部課名に登録するためのものである。３０４−１のワンタッチキーには、該当する複数の登録情報が登録されている集合体、すなわち、所属部課名の一覧が割り当てられている。３０４−２のワンタッチキーには、登録を確定することが割り当てられている。３０４−３のワンタッチキーには、検索結果の登録先の一覧が割り当てられている。
【００３５】
＜３０６＞の表示画面は、登録された所属部課名や、所属部課名に所属する部員名を検索するためのものある。３０６−１のワンタッチキーには、登録された所属部課名が割り当てられている。
【００３６】
＜３０５＞の表示画面は、登録された内容を確認するためのものある。３０４−１のワンタッチキーや３０６−１のワンタッチキーを押すことによって、該当する検索結果がどのような条件でなされたかが表示される。
【００３７】
図３に示した操作パネル２０６の表示画面＜３０１＞において、検索対象項目にあるキーワードをワンタッチキー３０１−１で入力するとともに検索条件をワンタッチキー３０１−２で入力してワンタッチキー３０１−４の「検索開始」を軽く押下して決定すると、それらの検索情報がＬＤＡＰサーバ１０２に送られる。検索結果はＬＤＡＰサーバ１０２から画像形成装置１０４，１０５のメモリ２０５に保存される。それとともに、検索結果は、表示画面＜３０３＞のように、検索条件に該当する人の姓や電子メールアドレス（送信先アドレス）の送信先情報が操作パネル２０６上に表示される。なお、検索条件に該当する人の姓名やファックス番号（送信先アドレス）の送信先情報を操作パネル２０６上に表示することも可能である。
【００３８】
画面＜３０３＞のように表示された検索結果を確認したあと、ワンタッチキー３０３−１の「ワンタッチ登録」を軽く押下すると、表示画面＜３０４＞が表示される。表示画面＜３０４＞のワンタッチキー３０４−１の「開発部」を選択して、ワンタッチキー３０４−２の「登録」を軽く押下すると、検索された全ての結果が「開発部」に属する集合体として登録される。表示画面＜３０３＞のように、各検索結果の姓と電子メールアドレス（送信先アドレス）とが対応するワンタッチキー３０４−３にそれぞれ割り当てられる。ワンタッチキーに割り当てられたこれらの情報は、「開発部」に属する集合体に関する登録された送信先情報として、ハードディスクドライブ２０３に保存される。「開発部」の検索時に使用された検索キーワードや検索条件の情報も、「開発部」に関する登録された検索情報として、ハードディスクドライブ２０３に保存される。
【００３９】
次に、図５を参照しながら、ワンタッチキーに登録されている送信先情報を削除する削除過程について説明する。
【００４０】
画像形成装置１０４，１０５の操作パネル２０６には、例えば、図５の＜４０１＞に示したような表示画面が表示されている。
【００４１】
４０１−１のワンタッチキーには、表示されているページを切り替えることが割り当てられている。４０１−２のワンタッチキーには、現在登録されている個々の送信先情報に対応したキーが割り当てられている。４０１−３のワンタッチキーには、選択作業の終了を確定することが割り当てられている。
【００４２】
＜４０２＞の表示画面は、ワンタッチキーの削除を確認して確定するためのものであり、削除には慎重を要するために二段階で操作するように構成されている。４０２−１のワンタッチキーには、削除することを決定することが割り当てられている。４０２−２のワンタッチキーには、削除することを最終的に確定することが割り当てられている。
【００４３】
図５に示した操作パネル２０６の表示画面＜４０１＞において、使用者は、「＞」のワンタッチキー４０１−１を軽く押下して、表示されているページを順次切り替え、削除しようとするワンタッチキー４０１−２を含むページを表示させる。削除しようとするワンタッチキー４０１−２が見つかったならば、ワンタッチキー４０１−２を軽く押下し、そのあと、「登録」のワンタッチキー４０１−３を軽く押下する。そうすると、表示画面＜４０１＞が表示画面＜４０２＞に切り替わって、選択した「Ｋｅｙ  １−１４」のワンタッチキー４０１−２を本当に削除するか否かの確認が行われる。このとき、「はい」というワンタッチキー４０２−１を軽く押下し、そのあとに「ＯＫ」のワンタッチキー４０２−２を軽く押下すると、「Ｋｅｙ  １−１４」のワンタッチキー４０１−２に登録されていた送信先情報の削除が実行される。なお、上記操作では、ワンタッチキー４０１−２に登録されていた送信先情報を一つずつ削除しているが、複数のワンタッチキーを同時に、あるいはＩｎｄｅｘ毎やページ毎に一括して削除することも可能である。
【００４４】
次に、図６を参照しながら、ワンタッチキーに登録されていた送信先情報の削除又は変更が実行されたときに、画像形成装置１０４，１０５ではどのような処理が行われるかについて説明する。
【００４５】
画像形成装置１０４，１０５を使用しようとする者が、各使用者に割り当てられたＩＤ番号とパスワードを入力して、ログインすると（ステップＳ１０１）、誰が使用しようとしているかという使用者情報がハードディスクドライブ２０３に記録される。ワンタッチキーに登録されていた送信先情報の削除又は変更が実行されると（ステップＳ１０２）、誰が送信先情報を登録したかという登録者情報と、現在誰が使用しているかという使用者情報とが比較されて、当該削除又は変更を行った使用者が、登録者であるか否かが判断される（ステップＳ１０３）。現在の使用者が、登録者である場合には正当な削除又は変更である見なして、通知することなくそのまま終了する（ステップＳ１０６）。
【００４６】
現在の使用者が、登録者ではない場合には、これまでワンタッチキーに登録されていて今回削除又は変更が行われた送信先情報をハードディスクドライブ２０３にバックアップ保存する（ステップＳ１０４）。そして、送信先情報を実際に登録した実登録者に対して、例えば、「あなたの登録した□△に関する送信先情報が、〇×さんによって削除されました」といったメッセージを、電子メールやファックス等で通知して（ステップＳ１０５）、削除又は変更の判断作業及び通知作業を終了する（ステップＳ１０６）。
【００４７】
次に、図７を参照しながら、ワンタッチキーに登録されていた送信先情報が削除又は変更されたというメッセージを登録者が受け取ったときに、登録者がどのような処理を行うかについて説明する。
【００４８】
ステップＳ２０１において、送信先情報を実際に登録した実登録者は、ワンタッチキーに登録されていた送信先情報が削除又は変更されたというメッセージを受け取る。実登録者は、削除された送信先情報が必要なものか否かを判断する（ステップＳ２０２）。削除された送信先情報が不要であると判断すると、画像形成装置１０４，１０５に不要である旨の入力操作を行う（ステップＳ２０３）と、ハードディスクドライブ２０３にバックアップされていた送信先情報が完全に消去される。
【００４９】
削除された送信先情報が必要であると判断すると、さらに、その送信先情報の修正が必要であるか否かを判断する（ステップＳ２０４）。送信先情報の修正が不要であると判断すると、バックアップされたそのままの状態で送信先情報を保存する旨の入力操作を行う（ステップＳ２０５）。送信先情報の修正が必要であると判断すると、バックアップされた送信先情報を適宜修正し、修正された送信先情報の入力操作を行う（ステップＳ２０６）。バックアップされた送信先情報に関する登録者側の一連の処理を終了する（ステップＳ２０８）。
【００５０】
上記登録者側の処理を受けて、画像形成装置１０４，１０５の側ではどのような処理が行われるかについて図８を参照しながら説明する。
【００５１】
ステップＳ３０１において、画像形成装置１０４，１０５は、削除された送信先情報が必要なものか否かの判断結果を受け取る。ステップＳ３０２において、削除された送信先情報が不要であるという判断が下されていた場合、ハードディスクドライブ２０３にバックアップされた送信先情報が完全に消去される（ステップＳ３０３）。
【００５２】
ステップＳ３０２において、削除された送信先情報が必要であるという判断が下されていた場合、ステップＳ３０４において、バックアップされた送信先情報の修正が必要であるか否かの判断結果を受け取る。ステップＳ３０４において、バックアップされた送信先情報の修正が不要であるという判断が下されていた場合、そのままの状態でハードディスクドライブ２０３に保存される（ステップＳ３０５）。ステップＳ３０４において、バックアップされた送信先情報の修正が必要であるという判断が下されていた場合、バックアップされた送信先情報の修正を行い、修正された送信先情報がハードディスクドライブ２０３に保存される（ステップＳ３０６）。
【００５３】
ステップＳ３０５又はステップＳ３０６においてハードディスクドライブ２０３に保存されたバックアップの送信先情報は、ワンタッチキーに登録される。バックアップ送信先情報のワンタッチキーへの登録場所が、既に他のもので使用されている場合もある。この場合、バックアップ送信先情報が、以前とは異なった別の場所に登録される。しかしながら、登録者は以前と同じ場所に登録されているものと勘違いして誤使用してしまう可能性がある。したがって、ワンタッチキーの再登録場所が、以前登録されていた場所と同じであるか否かが判断される（ステップＳ３０８）。以前の登録場所と異なった場所に登録されていた場合には、例えば、「〇×に関する送信先情報の登録場所は、別の▽●場所に変更されました」のようなメッセージが電子メール又はファックスにより登録者に通知される。以前の登録場所と同じ場所に登録されている場合には、上記のようなメッセージは通知されない。バックアップされた送信先情報の再登録に関する一連の処理を終了する（ステップＳ３１０）。
【００５４】
このようなプロセスを経ることにより、ワンタッチキーに送信先情報を実際に登録した実登録者の意図しないところで、送信先情報がワンタッチキーから削除又は変更された場合に、再度、最初から登録作業を行うことなく、ワンタッチキーへの送信先情報の再登録を行うことができる。
【図面の簡単な説明】
【００５５】
【図１】本発明の実施形態に係る画像形成装置を含む画像形成システム構成を示す図である。
【図２】図１の画像形成装置のブロック図である。
【図３】画像形成装置の操作パネル上で行われる操作手順を説明する図である。
【図４】図３の説明図に続く操作手順を説明する図である。
【図５】画像形成装置の操作パネル上で行われる操作手順を説明する図である。
【図６】送信先情報が削除されたときの画像形成装置での処理過程のフローチャートである。
【図７】送信先情報の削除が通知されたときに登録者が行う処理過程のフローチャートである。
【図８】バックアップされた送信先情報に関する画像形成装置での処理過程のフローチャートである。
【符号の説明】
【００５６】
１０１  認証サーバ
１０２  ＬＤＡＰサーバ
１０３  クライアントＰＣ
１０４，１０５  画像形成装置
１０６  ネットワーク
２０１  ＣＰＵ
２０２  プリンタ
２０３  ハードディスクドライブ
２０４  スキャナ
２０５  メモリ
２０６  操作パネル
２０７  ネットワーク
２０８  ＦＡＸ回線
２１１  システム制御部
２１２  プリント制御部
２１３  データ入出力制御部
２１４  データ入力制御部
２１６  表示／入力制御部
２１７  ネットワーク制御部
２１８  ＦＡＸ制御部
【図１】
2006229419.tif 000003
【図２】
2006229419.tif 000004
【図３】
2006229419.tif 000005
【図４】
2006229419.tif 000006
【図５】
2006229419.tif 000007
【図６】
2006229419.tif 000008
【図７】
2006229419.tif 000009
【図８】
2006229419.tif 000010